(57)【要約】【課題】上がり框の高さの変化等に柔軟に対応できる上がり框の上がり降り補助具を提供する。【解決手段】上がり降り補助具は、内部に収容空間部を有し、底板部を有する第１の筐体部１０６と、第１の筐体部１０６に、鉛直方向に摺動可能に嵌め込まれ、内部に収容空間部を有する第２の筐体部１０４と、第１の筐体部１０６の内部の空間及び第２の筐体部１０４の内部の空間を被覆するように、第２の筐体部１０４に設置される蓋体１０１と、第２の筐体部１０４の第１の筐体部１０６からの高さを調節する個々の高さ調節手段１１０から成る第１の高さ調節手段と、を有する第1の踏み台部を備える。【選択図】図１
2017031697.tif 000002
【特許請求の範囲】
【請求項１】
内部に収容空間部を有する第１の筐体部と、
前記第１の筐体部に、鉛直方向に摺動可能に嵌め込まれ、内部に収容空間部を有する第２の筐体部と、
前記第１の筐体部の収容空間部及び前記第２の筐体部の収容空間部を被覆するように、前記第２の筐体部に設置される蓋体と、
前記第２の筐体部の前記第１の筐体部からの高さを調節する第１の高さ調節手段と、を有する第1の踏み台部を備えることを特徴とする、上がり框の上がり降り補助具。
【請求項２】
前記蓋体は開閉可能に第２の筐体部に取り付けられており、前記第２の筐体部に設けた収容空間部を物入れに利用することを特徴とする、請求項１に記載の上がり框の上がり降り補助具。
【請求項３】
前記蓋体は、クッション性を有する滑り止め部材を備える請求項１に記載の上がり框の上がり降り補助具。
【請求項４】
内部に空間部を有し、底板部を有する第３の筐体部と、
前記第３の筐体部に対し、鉛直方向に摺動可能に嵌め込まれ、前記第３の筐体部の内部の空間部を被覆するように前記第３の筐体部に設置される第４の筐体部と、
前記第４の筐体部の前記第３の筐体部からの高さを調節する第２の高さ調節手段と、を有する第２の踏み台部をさらに備えることを特徴とする、請求項１に記載の上がり框の上がり降り補助具。
【請求項５】
前記第４の筐体部は、クッション性を有する滑り止め部材を備えることを特徴とする、請求項４に記載の上がり框の上がり降り補助具。
【発明の詳細な説明】
【技術分野】
【０００１】
本発明は、とくに足腰の衰えた高齢者が居住している住宅の玄関の上がり框に対し、当該高齢者が上がり降りする際に用いて好適な上がり框の上がり降り補助具に関する。
【背景技術】
【０００２】
最近のバリアフリーの住宅を除いて、一般的に住宅の玄関には、高さのある上がり框が設けられている。この上がり框で高いものは８０ｃｍを超えるものがあり、とくに下半身が衰えた高齢者にとってはこの高さのある上がり框を上がり降りすることはきわめて困難、或はしばしば不可能である。
【０００３】
この点に関し、玄関の上がり框ではないが段差のある勝手口に設置する踏み台が提案されている（例えば、特許文献１）。この踏み台は、勝手口の段差を少しずつ登れるように、高さが固定された階段状の踏み台部を備えるものである。
【０００４】
しかしながら、住宅の玄関の上がり框や勝手口の段差は住宅によって異なることから、汎用性を持たせるためには、高さを調節できることが必要である。近年、高齢者の人口が増大する中、これらの高齢者の中で下半身の衰えた者にとって、とくに住宅の玄関の高さの高い上がり框を上がり降りする際の困難さは増大しており、そのための上がり降り補助具が求められているが、特許文献１の踏み台は高さが固定されており、上がり框の高さの変化等に柔軟に対応することできないという問題点がある。
【先行技術文献】
【特許文献】
【０００５】
【特許文献１】特開２００２−８８９９８号公報
【発明の概要】
【発明が解決しようとする課題】
【０００６】
従って、本発明の目的は、とくに下半身の衰えた高齢者が、様々な高さを有し、しかも高さの高い玄関の上がり框に対し、容易に上がり降りができるように成した、とくに玄関の上がり框に対する上がり降り補助具を提供せんとするにある。
【課題を解決するための手段】
【０００７】
上記の課題を解決するために、請求項１発明は、内部に収容空間部を有する第１の筐体部と、前記第１の筐体部に、鉛直方向に摺動可能に嵌め込まれ、内部に収容空間部を有する第２の筐体部と、前記第１の筐体部の収容空間部及び前記第２の筐体部の収容空間部を被覆するように、前記第２の筐体部に設置される蓋体と、前記第２の筐体部の前記第１の筐体部からの高さを調節する第１の高さ調節手段と、を有する第1の踏み台部を備えることを特徴とする。
【０００８】
請求項２発明は、前記蓋体は開閉可能に第２の筐体部に取り付けられており、前記第２の筐体部に設けた収容空間部を物入れに利用することを特徴とする。
【０００９】
請求項３発明は、前記蓋体には、クッション性を有する滑り止め部材を備えることを特徴とする。
【００１０】
請求項４発明は、内部に空間部を有し、底板部を有する第３の筐体部と、前記第３の筐体部に対し、鉛直方向に摺動可能に嵌め込まれ、前記第３の筐体部の内部の空間部を被覆するように前記第３の筐体部に設置される第４の筐体部と、前記第４の筐体部の前記第３の筐体部からの高さを調節する第２の高さ調節手段と、を有する第２の踏み台部をさらに備えることを特徴とする。
【００１１】
請求項５発明は、請求項４発明の第４の筐体部には、クッション性を有する滑り止め部材が備えられていることを特徴とする。
【図面の簡単な説明】
【００１２】
【図１】本発明に係る上がり框の上がり降り補助具の使用の態様を示す外観斜視図である。
【図２】図１に示したがり降り補助具の第１の踏み台部の正面斜視図である。
【図３】図１に示したがり降り補助具の第１の踏み台部の背面斜視図である。
【図４】図１に示した上がり降り補助具の縦断面図である。
【図５】図３に示した連結具の部分を示し、（ａ）はその拡大斜視図、（ｂ）その取付状態を示す拡大断面図である。
【図６】図１に示した上がり降り補助具の第１の踏み台部の蓋体を開けた状態を示す斜視図である。
【図７】図１に示した上がり降り補助具の第２の踏み台部の正面斜視図である。
【図８】図７に示した第２の踏み台部の縦断面図である。
【発明を実施するための形態】
【００１３】
以下、本発明に係る上がり框の上がり降り補助具の一実施形態について、図面を用いて詳細に説明する。本発明に係る上がり框の上がり降り補助具の使用者は、主として足腰の衰えた高齢者であるが、本発明に係る上がり框の上がり降り補助具は、幼児や事故などで足腰を痛めた怪我人に対しても有効である。
【００１４】
図面によれば、図１は上がり降り補助具１の使用の態様を示す外観斜視図である。図１に示すように、上がり降り補助具１は、第１の踏み台部１０と、第２の踏み台部２０を備える。第１の踏み台部１０は、高さＨ２が上がり框３０の高さＨ１より低く、第２の踏み台部２０の高さＨ３より高く設定される。
【００１５】
第１の踏み台部１０と第２の踏み台部２０とはそれぞれ別体に構成され、後述する個々の高さ調節手段１１０から成る第１の高さ調節手段と個々の高さ調節手段２１０から成る第２の高さ調節手段を介して互いの高さを自由に調節できる。
【００１６】
第１の踏み台部１０は上がり框３０に隣接して設置され、第２の踏み台部２０は第１の踏み台部１０に隣接して設置される。この方が第１の踏み台部１０と第２の踏み台部２０のお互いの高さを自由に調節できる利点がある。
【００１７】
図面によれば、さらに図２は第１の踏み台部１０の正面斜視図、図３は第１の踏み台部１０の背面斜視図、図４は第１の踏み台部の縦断面図である。さらに図５の(ａ)、(ｂ)は、それぞれ連結具１０９の部分の拡大斜視図と取付状態を示す拡大断面図であり、図６は、第１の踏み台部１０の蓋体１０１を開けた状態を示す斜視図である。
【００１８】
図２及び図３に示すように、第１の踏み台部１０は、第１の筐体部１０６と、第２の筐体部１０４と、蓋体１０１と、を備える。
【００１９】
第１の筐体部１０６は、好ましくは金属プレートをベンダーなどを用いて加工して作ったもので、玄関に設置され、平面視が矩形を呈している。第１の筐体部１０６は、底板部１０６ａを有し、内部に第２の筺体部１０４の収容空間部１０６ｂを有する。
【００２０】
第２の筐体部１０４も好ましくは金属プレートをベンダーなどを用いて加工して作ったもので、平面視が矩形を呈し、第１の筐体部１０６よりやや小型で第１の筐体部１０６内部に嵌め込まれる構成である。
【００２１】
第１の筐体部１０６及び第２の筐体部１０４のそれぞれ両側面には、前後方向に所定間隔を空けて４か所に個々の高さ調節手段１１０から成る第１の高さ調節手段が設けられている。この第１の高さ調節手段は、第１の筐体部１０６から図２の上方、即ち鉛直方向に摺動して突出する第２の筐体部１０４の突出する高さを調節するものである。
【００２２】
この個々の高さ調節手段１１０から成る第１の高さ調節手段は、第２の筐体部１０４と第１の筐体部１０６のそれぞれの両側部に前後方向の位置と上下方向の位置を合わせて設けたところの上下方向に延びる複数の第１の調節孔１０７及び第２の調節孔１０５と、これらの第１の調節孔１０７及び第２の調節孔１０５を連結する複数の締結具１０８から成るが、このものに限定されない。
【００２３】
本発明に係る第１の高さ調節手段は、４か所の個々の高さ調節手段１１０を合わせたもので指示記号は付してない。
【００２４】
即ち、第１の調節孔１０７は、第１の筐体部１０６の側面部のうち互いに対向する二つの側面部に、所定間隔を空けて鉛直方向に２列に配列され、複数個設けられる。第２の調節孔１０５は、第２の筐体部１０４の側面のうち、第１の調節孔１０７に対応する側面に、所定間隔を空けて鉛直方向に２列に、複数個設けられる。各締結具１０８は、実施例では第２の筐体部１０４に設けられた第２の調節孔１０５に設けた図示してない雌ネジ孔にネジ着されるビスであるが、ボルトとナットによっても良い。
【００２５】
高さを調節する場合は、各締結具１０８を外し、第２の筐体部１０４を所望の高さに調節した後、それぞれの締結具１０８によって第１の筐体部１０６と、第２の筐体部１０４と、を伴締めする。
【００２６】
蓋体１０１は、第２の筐体部１０４の外側に嵌め込まれるように、かつ、第１の筐体部１０６の収容空間部１０６ｂと第２の筐体部１０４の収容空間部１１１を覆うように、第２の筐体部１０４に設置される。
【００２７】
即ち、蓋体１０１は、背面部において、図３〜図５に示したように、蝶番などの一対の連結具１０９によって第２の筐体部１０４に回動可能に取り付けられるが、とくに図５（ｂ）に示したように、下側の連結片１０９ａと第２の筐体部１０４との間には、スペーサープレート１１３を介在させてある。
【００２８】
蓋体１０１は、その天板部１０１ａに滑り止め部材１０２と、つかみ部１０３となる切欠け部と、を備える。つかみ部１０３は切欠け部ではなく、取手であってもよい。滑り止め部材１０２は、絨毯或はゴムやプラスチックシートのような滑り止め機能を有し、弾力性のある素材によって形成されることが望ましい。
【００２９】
第１の筐体部１０６、第２の筐体部１０４、及び蓋体１０１は、ともに人の体重を支えられる程度の強度を持った素材によって形成される。この素材としては、鉄板、ステンレス鋼、アルミニウムなどの金属プレートが耐久性の点で最も望ましいが、必要に応じて、合成樹脂、木材などを用いても良い。
【００３０】
図６は、第１の踏み台部１０の蓋体１０１を開けた状態を示す図である。図面に示すように、第１の踏み台部１０の蓋体１０１は、つかみ部１０３に指を掛けて上方へ持ち上げることにより、連結具１０９を介して回転し、図６に示したように、開成状態となる。蓋体１０１が開成状態となると、第２の筐体部１０４が形成する収容空間部１１１が露出する。この収容空間部１１１には、履物や小物を収納することが可能である。開いた蓋体１０１を逆方向に回動させると、当該蓋体１０１は第２の筐体部１０４上にかぶさり、再び閉成状態となる。
【００３１】
図７は、第２の踏み台部２０の正面斜視図であり、図８は図７に示す第２の踏み台部２０の縦断面図である。図面に示すように、第２の踏み台部２０は、第３の筐体部２０４と、第４の筐体部２０１と、を備える。
【００３２】
第３の筺体部２０４は、玄関の上がり框３０に第１の踏み台部１０に接して設置され、平面視が第１の筺体部１０６の平面視と同様の大きさの矩形状を呈している。第３の筐体部２０４は、底板部２０４ａを有し、内部に空間部２０４ｂを有する。
【００３３】
第４の筐体部２０１は、平面視が矩形状を呈し、第３の筐体部２０４よりやや大型に形成され、第３の筐体部２０４に対し外側から嵌め込まれる。ここのところは、第１の筐体部１０６及び第２の筐体部１０６と同じように構成することは任意に選択できる事項である。
【００３４】
第３の筐体部２０４及び第４の筐体部２０１は、それぞれその両側面部に４か所設けた個々の高さ調節手段２１０から成る第２の高さ調節手段を備える。この第２の高さ調節手段は、第３の筐体部２０４から図７の上方、即ち鉛直方向に摺動可能に被覆する第４の筐体部２０１の高さを調節する。
【００３５】
４か所の個々の高さ調節手段２１０の構成は、第４の筐体部２０１の第３の筐体部２０４からの高さを調節できる機構であれば図示のものに限定されない。
【００３６】
この４か所の個々の高さ調節手段２１０は、それぞれ第３の調節孔２０５と、第４の調
節孔２０２と、締結具２０３とを備える。本発明においては、この４か所の個々の高さ調節手段２１０をまとめて指示記号は付してないが第２の高さ調節手段という。
【００３７】
第３の調節孔２０５は、第３の筐体部２０４の側面のうち互いに対向する二つの側面に、鉛直方向に所定間隔を空けて２列に配列され、複数個設けられる。第４の調節孔２０２は、第４の筐体部２０１の側面のうち、第３の調節孔２０５に対応する側面に、鉛直方向に所定間隔を空けて２列に配列され、複数個設けられる。締結具２０３は、個々の高さ調節手段２１０ごとに実施例では４個設けられ、第１の高さ調節手段の個々の高さ調節手段１１０のように、ビス又はボルトとナットなどを用いることができる。
【００３８】
高さを調節する場合は、各締結具２０３を外し、第４の筐体部２０１を所望の高さに調節した後、それぞれの締結具２０３によって第３の筐体部２０４と、第４の筐体部２０１と、を伴締めする。
【００３９】
第４の筐体部２０１は、天板部２０１ａに滑り止め部材２０６を備える。滑り止め部材２０６は、滑り止め部材１０２の場合と同じように、絨毯或はゴムやプラスチックシートのような滑り止め機能を有し、弾力性のある素材によって形成されることが望ましい。
【００４０】
第３の筐体部２０４及び第４の筐体部２０１は、ともに人の体重を支えられる程度の強度を持った素材によって形成される。この素材としては、鉄板、ステンレス鋼、アルミニウムなどの金属プレートが耐久性の点で最も望ましいが、必要に応じて、合成樹脂、木材などが挙げられる。
【００４１】
以上、いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【００４２】
尚、第１の踏み台部１０と第２の踏み台部２０のそれぞれの下面側には、図示はしてないが、それら自身の滑り止め防止用の、例えばゴム座や平板状のゴムシート或は帯状のゴムプレートを取り付けて、設置位置の位置ずれを防止することができるように構成することが推奨される。また、同じく図示はしてないが、第１の筐体部１０と第２の筐体部２０を互いに連結手段で連結して、使用中に互いが離れないように工夫することも推奨される。この連結手段としては、第１の踏み台部１０と第２の踏み台部２０のいずれか一方に取り付けられた係止具、及びこの係止具を係止すべく第１の踏み台部１０と第２の踏み台部２０のいずれか他方に取り付けた係止ピンとしたり、第１の筐体部１０６と第３の筐体部２０４をその下面側で連結する単数または複数の連結プレートとしたりすることができる。さらに第１の踏み台部１０を玄関の上がり框３０に固定する固定手段を設けることも推奨される。
【００４３】
以上述べたように、本実施形態の上がり框３０の上がり降り補助具１は、内部に収容空間部１０６ｂを有し、底板部１０６ａを有する第１の筐体部１０６と、この第１の筐体部１０６に、鉛直方向に摺動可能に嵌め込まれ、内部に収容空間部１１１を有する第２の筐体部１０４と、この第２の筐体部１０４の内部の収容空間部１１１を被覆するように、開閉可能に第２の筐体部１０４に設置される蓋体１０１と、第２の筐体部１０４の第１の筐体部１０６からの高さを調節する個々の高さ調節手段１１０から成る第１の高さ調節手段と、で第１の踏み台部１０を構成したので、様々な高さの上がり框に対応できるものである。さらに、この第１の踏み台部１０に加え、内部に空間部２０４ｂを有し、底板部２０４ａを有する第３の筐体部２０４と、前記第３の筐体部２０４に対し、鉛直方向に摺動可能に嵌め込まれ、前記第３の筐体部２０４の内部の空間部２０４ｂを被覆するように前記第３の筐体部２０４に設置される第４の筐体部２０１と、この第４の筐体部２０１の前記第３の筐体部２０４からの高さを調節する第２の高さ調節手段と、を有する第２の踏み台部２０を備えると、さらに細かく高さ調節ができるので、その利便性が増大するものである。
【産業上の利用可能性】
【００４４】
本発明は以上のように構成したので、足腰の衰えたとくに高齢者が、高さのある上がり框に対し容易に上がり降りができる便利有用な補助具として好適に用いられるものである。
【符号の説明】
【００４５】
１  上がり降り補助具
１０  第１の踏み台部
２０  第２の踏み台部
３０  上がり框
１０１  蓋体
１０１ａ  天板部
１０２  滑り止め部材
１０３  つかみ部
１０４  第２の筐体部
１０５  第２の調節孔
１０６  第１の筐体部
１０６ａ  底板部
１０６ｂ  収容空間部
１０７  第１の調節孔
１０８  締結具
１０９  連結具
１１０  個々の高さ調節手段
１１１  収容空間部
１１３  スペーサープレート
２０１  第４の筐体部
２０１ａ  天板部
２０２  第４の調節孔
２０３  締結具
２０４  第３の筐体部
２０４ａ  天板部
２０４ｂ  空間部
２０５  第３の調節孔
２０６  滑り止め部材
２１０  個々の高さ調節手段
【図１】
2017031697.tif 000003
【図２】
2017031697.tif 000004
【図３】
2017031697.tif 000005
【図４】
2017031697.tif 000006
【図５】
2017031697.tif 000007
【図６】
2017031697.tif 000008
【図７】
2017031697.tif 000009
【図８】
2017031697.tif 000010